(57)【要約】      （修正有）【課題】鎧戸式の扉における長所を生かしながら、ハエ、ゴキブリ等の衛生害虫の侵入を効果的に防御しうるとともに、鎧戸式の扉における指詰めを防止できるキッチン収納棚を提供する。【解決手段】複数のスラット部材１０を列設し、該スラット部材を可撓性部材により一体的に連結して蛇腹構造の引戸９となし、収納棚の天板３及び底板４に前面から側面に、およびまたは、前面から側面を経て背面に到る摺動溝７を削設し、該溝に前記引戸を摺動自在に嵌装するとともに、収納棚前面のコーナー部に指詰め防止板１６を固定し、さらに、前記引戸と収納棚等の壁面との空隙を閉塞する封止材１７を引戸の後尾側に固定する。【選択図】図１
0003131724.tif 000002
【実用新案登録請求の範囲】
【請求項１】
複数のスラット部材を列設し、該スラット部材を可撓性部材により一体的に連結して蛇腹構造の引戸となし、収納棚の天板及び底板に前面から側面に、およびまたは、前面から側面を経て背面に到る摺動溝を削設し、該溝に前記引戸を摺動自在に嵌装するとともに、収納棚前面のコーナー部に指詰め防止板を固定し、さらに、前記引戸と収納棚等の壁面との空隙を閉塞する封止材を引戸の後尾側に固定したことを特徴とするキッチン収納棚。
【請求項２】
請求項１記載のキッチン収納棚等の扉において、スラット部材の裏面全体を可撓性部材により一体的に連結したことを特徴とするキッチン収納棚。
【請求項３】
請求項１、２記載のキッチン収納棚等の扉において、引戸の内側に棚等を設置するための隔壁部材を固定したことを特徴とするキッチン収納棚。
【請求項４】
天板及び底板を連結材により連結固定し、天板及び底板に前面から側面に、およびまたは、前面から側面を経て背面に到る摺動溝を削設し、該溝に、複数のスラット部材を列設し、該スラット部材を可撓性部材により一体的に連結して蛇腹構造の引戸を摺動自在に嵌装するとともに、引戸と収納棚等の壁面との空隙を閉塞する封止材を引戸の後尾側に固定したことを特徴とするキッチン収納棚ユニット。
【考案の詳細な説明】
【技術分野】
【０００１】  本考案は、キッチンにおける収納棚に関し、詳しくは、キッチンにおける収納棚の引戸構造に関するものである。
【背景技術】
【０００２】  従来、キッチンにおけるシンク（流し台）の下方部および上方部には、その空間を有効に利用して食器あるいは調理器具、道具類等を収納するための収納部が設置され、また、近時において喧伝されるシンク、調理台、加熱機器等が連設されるシステムキッチンにあっても同様にその下方部あるいは上方部に収納部が設置されている。【０００３】  ところで、前述する収納棚あるいは収納部における開口部の扉構造としては、引き戸構造の扉では２枚の引き戸を引き違い構造で設けるため、扉の開扉時には片側の扉相当分しか開口が得られず、物の出し入れに制限が生じて使用上不都合となることから、観音開き式の概ね両開き式、あるいは、片開き式の開き戸が主流を成している。しかしながら、観音開き構造の両開き扉や片側だけが外方へ開く構造では、予め扉の開閉空間を収納棚の前面に確保可能な広い空間での使用に限定される不利がある。【０００４】  加えて、キッチンにおいて調理作業を行う場合、食器、調理器具、道具等々を調理に必要となる都度開き戸の開閉を繰り返し、取り出す煩雑さを避けるために、前記開き戸を開放状態にして作業を行うが、開き戸が開放状態であるために、キッチン内を移動するに際して開放された開き戸が移動の邪魔となり、作業性を阻害することとなる。【０００５】  また、上方部に取り付けられた収納棚の開き戸を開放状態にすると、食器、調理器具、道具等々を取り出すために開放状態にしておくと、頭部が開き戸に衝突し、思わぬ怪我を負傷する虞があり、これを回避するためには上部に設けられる収納棚の位置を支障のないほど高くする必要があって、使用上の不便さを伴うこととなる。【０００６】  このような事情から、開口面積が十分に確保でき、かつ、扉の開閉に余計な空間を要せず、かつ、狭小空間でも利用できる有利さを有する鎧戸式の扉が提案されている。即ち、背板の左右辺に固着された１対の側板と上下辺に固着された天板、地板によって囲繞された箱体家具における１対の側板の対向内面または天板、地板の対向内面に設けたシャッターレール保持手段を設け、複数の直線レール部材と、複数の隅部曲線レール部材とを設けてシャッターレールを形成し、そのシャッターレールにシャッター扉を装入する構成とした家具が提案されている。
【特許文献１】  特開平６−１７３５４３号公報
【特許文献２】  特開平８−１８９２６６号公報
【考案の開示】
【考案が解決しようとする課題】
【０００７】  前述する鎧戸式の扉をキッチンにおける収納棚に適用することによって、観音開き式の扉における問題を解決することが可能であるが、設置場所がキッチンであることから単純に適用することに問題が生じる。即ち、鎧戸式の扉における構造上の問題として、鎧戸式の扉の移動を確保することから、鎧戸式の扉の設置される側壁面との間に必然的に空隙が形成されることから、この間隙から近時において、薬剤散布などの防除手段の徹底によって皆無、あるいは、減少しているとはいえ、外部から飛来してくるハエ、ゴキブリ等の衛生害虫の侵入を効果的に防御することが必要となる。【０００８】  また、鎧戸式の扉にあっては、前面から側面に移動させるためには、移行部において円弧状のガイド（レール）を採用することとなるが、この部分の移動時において鎧戸式の扉を構成する各スラットが密接状態から開いた状態へ、開いた状態から密接状態へと変化しながら移動するが、このとき、不用意に鎧戸式の扉に接触すると前記スラットに指を挟まれて負傷することとなり、特に、幼児等の指にあっては思わぬ怪我につながる虞がある。【０００９】  本考案は、上述の諸点に鑑み、鎧戸式の扉における長所を生かしながら、ハエ、ゴキブリ等の衛生害虫の侵入を効果的に防御しうるキッチン収納棚を、また、鎧戸式の扉における指詰めを防止できるキッチン収納棚を提供することである。【００１０】  また、本考案は、既設の観音開き式の扉を有するキッチン収納棚を、鎧戸式の扉の収納棚へと改装するためのキッチン収納棚ユニットを提供することである。
【課題を解決するための手段】
【００１１】  前述の課題を解決するための本考案に係るキッチン収納棚の構成は、複数のスラット部材を列設し、該スラット部材を可撓性部材により一体的に連結して鎧戸式の引戸となし、収納棚の天板及び底板に前面から側面に、およびまたは、前面から側面を経て背面に到る摺動溝を削設し、該溝に前記引戸を摺動自在に嵌装するとともに、収納棚前面のコーナー部に指詰め防止板を固定し、さらに、前記引戸と収納棚等の壁面との空隙を閉塞する封止部材を固定した点に存する。【００１２】  また、本考案に係るキッチン収納棚の構成は、キッチン収納棚等の扉において、スラット部材の裏面全体を可撓性部材により一体的に連結した点に存する。【００１３】    さらにまた、本考案に係るキッチン収納棚の構成は、キッチン収納棚等の扉において、引戸の内側に棚等を設置するための隔壁部材を固定した点に存する。【００１４】  加えて、本考案に係るキッチン収納棚ユニットの構成は、天板及び底板を連結材により連結固定し、天板及び底板に前面から側面に、およびまたは、前面から側面を経て背面に到る摺動溝を削設し、該溝に、複数のスラット部材を列設し、該スラット部材を可撓性部材により一体的に連結して蛇腹構造の引戸を摺動自在に嵌装するとともに、収納棚前面のコーナー部に指詰め防止板を固定し、引戸と収納棚等の壁面との空隙を閉塞する封止部材を固定した点に存する。
【考案の効果】
【００１５】  上述の構成にかかる本考案によれば、鎧戸式の扉において不可避とされる間隙の形成によるハエ、ゴキブリ等の衛生害虫の侵入を、鎧戸式の引戸、側壁面、あるいは、内壁面にハエ、ゴキブリ等の衛生害虫の侵入を防止する封止部材を固定することによって、これらを効果的に防御しうることとなる。【００１６】  また、鎧戸式の引戸における前面位置から側壁位置へ引き込む円弧状ガイドへの移行部、換言すれば、キッチン収納棚の前面両側方に指詰め防止板を固定して指詰めを防止し、不注意による怪我を防止することが可能となる。【００１７】  さらに、本考案によれば、鎧戸式の引戸をユニット化することにより、既設の両開き戸を撤去して本考案に係るユニットを装着し、固定することによって鎧戸式引戸の収納棚へと簡単に改装することが可能となる。
【実施例】
【００１８】  以下、図１ないし図４に示される実施例に基づいて本考案に係るキッチン収納棚について説明する。
図１は、キッチンにおけるシンク（流し台）の下部に設けられる収納部に適用する例を示すもので、シンク１の下方に天板３、底板４、側板５および背板６により画成される収納部２が形成されている。【００１９】  前記収納部２における天板３と底板４との内面には、後述する鎧戸式引戸が摺動走行するガイド溝７、８が削設されてなり、即ち、前面側から左右の側板５の内面側に向かう天板３および底板４の端縁と平行に削設された直線路７ａ、側板５に近接して並行に削設された直線路７ｂと両直線路を接続する隅部に削設される曲線路７ｃとによって形成されている。このガイド溝７を削設するに際して、後述する鎧戸式引戸９との関係において、天板３に削設するガイド溝８の深さを、底板４に削設するガイド溝７よりも深く削設することが推奨される。【００２０】  前記ガイド溝７、８には両開き式とするために左右一対の鎧戸式引戸９が滑動自在に装着されている。この鎧戸式引戸９自体は複数の棒状のスラット部材１０を相互に屈曲可能に連設した鎧戸構造に形成された周知の構造を有し、即ち、各スラット部材１０は、金属材料またはプラスチック材料、木質材料等種々の材質によって形成され、複数の棒状のスラット部材１０を列設してその背面に可撓性を有する材料、例えば、布地、樹脂材料等の可撓材料１１を貼着することによって、密接状態で、かつ、屈曲可能に連結されている。【００２１】  この可撓材料１１は図示の実施例に示すごとく、鎧戸式引戸９の背面の上下および中間部に帯状のテープ１１ａを貼着することに限定されず、その図示を省略したが背面全体を利用してシート状の可撓材料１１を貼着することも可能であり、特に、全面シートを採用することは、可撓材料１１の持つ強度を有効に利用して鎧戸式引戸９の強度アップに繋がり、また、スラット部材１０間に形成される隙間を閉塞する機能をも有するものとなる。【００２２】  また、鎧戸式引戸９の上下の端部は、夫々段部１２、１３が形成されており、言い換えれば、鎧戸式引戸９の上下端に前記ガイド溝７、８に嵌着するための突出部１４、１５が形成されるもので、上部における突出部１４が下部に設けられる突出部１５よりも長くなるように形成されるもので、これによって、鎧戸式引戸９をガイド溝７、８に装着するに際して、鎧戸式引戸９を傾けて上部突出部１４をガイド溝８に装入し、その状態で鎧戸式引戸９を少し持ち上げるようにして挿入を深くし、しかる後、鎧戸式引戸９の下端の突出部１５を底板４の上面に移動させ、ガイド溝７に下部の突出部１５を嵌め込むことによって鎧戸式引戸９を装着する。【００２３】  収納部２に棚板１８を設置するための内壁板１９を固定するのが望ましい。かくすることによって、内壁板１９に棚板の固定金具を設けることが可能となり、棚板に載置する調理器具、道具類の重量を支持することを可能とするのみならず、内壁板１９が収納する調理器具、道具類の倒れ、崩れによる鎧戸式引戸９への接触を防止することから、鎧戸式引戸９に対する損傷、作動不良を防止する。【００２４】  収納部２における前面の両側方に指詰め防止板１６が固定される。この指詰め防止板１６は鎧戸式引戸９がガイド溝７の曲線路７ｃを移動するとき、鎧戸式引戸９を構成するスラット部材１０における厚みの内外径差に起因してＶ字状に開口し、この開口１０ａによって指を挟むことによる負傷を防止する目的で設置されるもので、曲線路７ｃの全域をカバーする必要はなく開口の大きな部位をカバーすればよい。【００２５】  さらに、収納部２にはハエ、ゴキブリ等の衛生害虫の侵入を防止するために、鎧戸式引戸９と側壁５間、あるいは、指詰め防止板１６との間に形成される空隙を閉塞する封止部材１７が設けられる。この空隙を閉塞する封止部材１７を設ける位置は任意に選択できるものであるが、入り口となる指詰め防止板１６と鎧戸式引戸９との間に形成される空隙を閉塞するのが効果的で、指詰め防止板１６の内面側に設けることが推奨される。さらに確実性を確保するために、鎧戸式引戸９の後端にあるスラット部材１０に固定し、両者で衛生害虫の侵入を防止すればよい。【００２６】  さらには、収納部２に棚板１８を設置するための内壁１９を固定する場合にあっては、該内壁１９の鎧戸式引戸９の対抗面で、かつ、最前端よりに封止部材１７を設けることもできる。【００２７】  いずれの箇所に封止部材１７を設けるにしても、封止部材１７は種々の形態を採用しうるもので、例えば、ブレード状のシール、繊毛を植毛したエアータイトシール、ブラシ状シール等が使用できる。
なお、図中２０は鎧戸式引戸の開閉時に使用する引き手である。【００２８】  また、図５ないし図６に鎧戸式引戸の別異のスライド機構、鎧戸式引戸３１の下部における案内機構の例を示すもので、これによって鎧戸式引戸３１により収納部の前面をカバーするようにしたものである。【００２９】  即ち、鎧戸式引戸３１は前述の実施例と同様に、複数の棒状のスラット部材３０を列設してその背面に可撓性を有する材料、を貼着することによって、密接状態で、かつ、屈曲可能に連結されている。鎧戸式引戸３１の上端部は、後述する鎧戸式引戸が摺動走行するガイド溝に嵌合する段部３１ａが形成され、下端部は直角に裁断して形成されている。【００３０】  他方、鎧戸式引戸３１の裏面における下端側には、前記フラットバーレール３６に係合し、鎧戸式引戸３１の摺動走行を可能とするガイド金具３８が適宜の間隔でスラット部材３７にネジ、釘等の固定具３９で固定され、このガイド金具３８としては、例えば、フラットバーレール３６の上端縁あるいはフラットバーレール３６と底板３４によって形成される溝内を転動する車輪（コロ）構造、棒状のガイド部材等種々の構造のものを採用することができる。図示の例にあっては、固定用のフランジ部３７を有する下向きのＬ字状をしたガイド金具３８を採用している。【００３１】  収納部における天板３２には前記実施例と同様にガイド溝３３が削設されてなり、他方、底板３４には側板（図示は省略した。）に並行に削設された直線部３５ａと、該直線部に接続する隅部に削設される曲線部３５ｂと、さらに、前端縁と平行に削設された直線部３５ｃとを有する段部３５が形成され、この段部３５と並行に板状のフラットバーレール３６が配設固定されている。【００３２】  この場合、天板３２に削設されるガイド溝３３を削設するに際して、鎧戸式引戸３１を装着するために天板３２に削設するガイド溝３３の深さを、底板３４に配設固定されるフラットバーレール３６の高さよりも深く削設することによって、鎧戸式引戸３１を収納部の前面から装着することが可能となる。また、フラットバーレール３６を設置する間隔は、ガイド金具３８を案内するに必要な幅（間隔）を形成すればよく、かくすることによって、の鎧戸式引戸３１の摺動走行におけるガタツキを防止することが可能となる。【００３３】  このようにすることによって、収納部の前面に鎧戸式引戸３１が位置することとなり、ガイド溝を隠蔽することから収納部における前面の美観を改善するとともに、ガイド溝に飛散した水の付着による不都合を回避することができる。【００３４】  前述の実施例においてはシンク（流し台）の下部における収納部についての実施例をベースに説明したが、他の収納部分に対しても同様に適用することが可能なものであり、また、鎧戸式引戸についても両開きの形式の止まらず、片開き式の鎧戸式引戸形式としても実施しうるものである。【００３５】  次に、図７ないし図１０に基づいて本考案に係る収納棚ユニットについて説明するに、改装する既設の収納部の寸法に合わせて、天板２１と底板２２とを所定の間隔に維持する連結材２３により連結されている。連結材２３として板材を使用することによって、該連結材２３に棚板の固定金具を��けることが可能となり、棚板に載置する調理器具、道具類の重量を支持することを可能とするのみならず、連結材２３が収納する調理器具、道具類の倒れ、崩れによる鎧戸式引戸２６へ接触することによる鎧戸式引戸２６に対する損傷、作動不良を防止する。【００３６】  前記天板２１及び底板２２には前述する実施例と同様に鎧戸式引戸２６のガイド溝２４、２５が削設されている。即ち、天板２１と底板２２との内面には、後述する鎧戸式引戸が摺動走行するガイド溝２４、２５が削設されてなり、即ち、前面側から左右の連結材２３の外側に向かう天板２１および底板２２の端縁と平行に削設された直線路２４ａ、連結材２３に近接して並行に削設された直線路２４ｂと両直線路を接続する隅部に削設される曲線路２４ｃとによって形成されている。このガイド溝２４，２５を削設するに際して、後述する鎧戸式引戸２６との関係において、天板３に削設するガイド溝２５の深さを、底板２２に削設するガイド溝２４よりも深く削設することが推奨される。【００３７】  前記ガイド溝２４，２５には、例えば、両開き式とするために左右一対の鎧戸式引戸２６が滑動自在に装着されている。この鎧戸式引戸２６は前述の実施例と同様に複数の棒状のスラット部材２７を相互に屈曲可能に連設した鎧戸構造に形成された周知の構造を有し、即ち、各スラット部材２７は、金属材料またはプラスチック材料、木質材料等種々の材質によって形成され、複数の棒状のスラット部材２７を列設してその背面に可撓性を有する材料、例えば、布地、樹脂材料等の可撓材料２８によってスラット部材２７を相互に連結するが、前述の実施例とは異なり、可撓材料２８シートをスラット部材２７の裏面全体に貼着することによって、密接状態で、かつ、屈曲可能に連結されている。【００３８】  収納棚ユニットにおける両側方前面に指詰め防止板２９が固定される。この指詰め防止板２９は鎧戸式引戸２６がガイド溝２４，２５の曲線路２４ｃを移動するとき、鎧戸式引戸２６を構成するスラット部材２７が内外径差によってＶ字状に開口し、この開口２７ａによって指を挟むことによる負傷を防止する目的で設置されるもので、曲線路２４ｃの全域をカバーする必要はなく開口の大きな部位をカバーすればよい。【００３９】  鎧戸式引戸２６と指詰め防止板２９との間に形成される空隙を閉塞する封止部材２９ａが、あるいは、連結材２３の鎧戸式引戸２６との対抗面で、かつ、最前端よりに封止部材２９ａを設けることもできる。さらには、鎧戸式引戸２６の後端にあるスラット部材１０に固定することも可能なものであって、この場合、改装する既設の収納部に装着したときに、鎧戸式引戸２６と収納部の側面との間に形成する空隙を閉鎖して衛生害虫の侵入を防止するように、予め封止部材２９ａの寸法を決定しておくのが良い。【００４０】  既設の収納部を改装するに際して、既設の収納部に取り付けられている観音式の両開き扉を撤去し、さらに内部に棚等が設置されている場合にはこれ等も撤去した後、内部の空間に本考案の収納棚ユニットを装着する。しかる後、収納棚ユニットを既設の収納部適宜の固着手段を用いて固定ることによって改装が完了する。
【図面の簡単な説明】
【００４１】
【図１】  本考案に係るキッチン収納棚の正面図
【図２】  図１におけるＡ−Ａ線断面図
【図３】  図１におけるＢ−Ｂ線断面図
【図４】  鎧戸式引戸の背面構造を示す説明図
【図５】  鎧戸式引戸の他の実施例を示す斜視図
【図６】  鎧戸式引戸の他の実施例を示す説明図
【図７】  本考案に係るキッチン収納棚ユニットの正面図
【図８】  図５におけるＡ−Ａ線断面図
【図９】  図５におけるＢ−Ｂ線断面図
【図１０】  鎧戸式引戸の背面構造を示す説明図
【符号の説明】
【００４２】    １：シンク
２：収納部
３：天板
４：底板
５：側板
６：背板
７：ガイド溝
８：ガイド溝
９：鎧戸式引戸
１０：スラット部材
１１：可撓材料
１２：段部
１３：段部
１４：突出部
１５：突出部
１６：指詰め防止板
１７：封止部材
１８：棚板
１９：内壁
２０：引き手
【図１】
0003131724.tif 000003
【図２】
0003131724.tif 000004
【図３】
0003131724.tif 000005
【図４】
0003131724.tif 000006
【図５】
0003131724.tif 000007
【図６】
0003131724.tif 000008
【図７】
0003131724.tif 000009
【図８】
0003131724.tif 000010
【図９】
0003131724.tif 000011
【図１０】
0003131724.tif 000012
【手続補正書】
【提出日】平成19年2月1日(2007.2.1)
【手続補正１】
【補正対象書類名】実用新案登録請求の範囲
【補正対象項目名】全文
【補正方法】変更
【補正の内容】
【実用新案登録請求の範囲】
【請求項１】
複数のスラット部材を列設し、該スラット部材を可撓性部材により一体的に連結して蛇腹構造の引戸となし、収納棚の天板及び底板に前面から側面に、およびまたは、前面から側面を経て背面に到る摺動溝を削設し、該溝に前記引戸を摺動自在に嵌装するとともに、収納棚前面のコーナー部に指詰め防止板を固定し、さらに、前記引戸と収納棚の壁面との空隙を閉塞する封止材を引戸の後尾側に固定したことを特徴とするキッチン収納棚。
【請求項２】
請求項１に記載のキッチン収納棚において、スラット材の裏面全体を可撓性部材により一体的に連結したことを特徴とするキッチン収納棚。
【請求項３】
請求項１または２に記載のキッチン収納棚において、引戸の内側に棚を設置するための隔壁部材を固定したことを特徴とするキッチン収納棚。
【請求項４】
天板及び底板を連結材により連結固定し、天板及び底板に前面から側面に、およびまたは、前面から側面を経て背面に到る摺動溝を削設し、該溝に、複数のスラット部材を列設し、該スラット部材を可撓性部材により一体的に連結して蛇腹構造の引戸を摺動自在に嵌装するとともに、引戸と収納棚の壁面との空隙を閉塞する封止材を引戸の後尾側に固定したことを特徴とするキッチン収納棚。
【手続補正２】
【補正対象書類名】明細書
【補正対象項目名】００１１
【補正方法】変更
【補正の内容】
【００１１】  前述の課題を解決するための本考案に係るキッチン収納棚の構成は、複数のスラット部材を列設し、該スラット部材を可撓性部材により一体的に連結して蛇腹構造の引戸となし、収納棚の天板及び底板に前面から側面に、およびまたは、前面から側面を経て背面に到る摺動溝を削設し、該溝に前記引戸を摺動自在に嵌装するとともに、収納棚前面のコーナー部に指詰め防止板を固定し、さらに、前記引戸と収納棚の壁面との空隙を閉塞する封止材を引戸の後尾側に固定した点に存する。
【手続補正３】
【補正対象書類名】明細書
【補正対象項目名】００１２
【補正方法】変更
【補正の内容】
【００１２】  また、本考案に係るキッチン収納棚の構成は、キッチン収納棚において、スラット材の裏面全体を可撓性部材により一体的に連結した点に存する。
【手続補正４】
【補正対象書類名】明細書
【補正対象項目名】００１３
【補正方法】変更
【補正の内容】
【００１３】  さらにまた、本考案に係るキッチン収納棚の構成は、キッチン収納棚において、引戸の内側に棚を設置するための隔壁部材を固定した点に存する。
【手続補正５】
【補正対象書類名】明細書
【補正対象項目名】００１４
【補正方法】変更
【補正の内容】
【００１４】  加えて、本考案に係るキッチン収納棚の構成は、天板及び底板を連結材により連結固定し、天板及び底板に前面から側面に、およびまたは、前面から側面を経て背面に到る摺動溝を削設し、該溝に、複数のスラット部材を列設し、該スラット部材を可撓性部材により一体的に連結して蛇腹構造の引戸を摺動自在に嵌装するとともに、引戸と収納棚の壁面との空隙を閉塞する封止材を引戸の後尾側に固定した点に存する。